【事件の表示】
　特許第３１８１１８１号「文書情報処理装置」の請求項１ないし１０に係る特許に対する特許異議の申立てについて、次のとおり決定する。
【結　論】
　訂正を認める。
　特許第３１８１１８１号の請求項１、４に係る特許を取り消す。
　同請求項２ないし３、５ないし６に係る特許を維持する。
【理　由】
【１】手続きの経緯
　本件特許第３１８１１８１号「文書情報処理装置」の発明は、平成６年１１月１１日に特許出願されたものであって、平成１３年４月２０日にその特許（請求項の数１０）について設定登録がなされ、平成１３年７月３日に特許公報が発行され、その後その特許（全請求項）について平成１３年１２月２６日に佐藤勝明より特許異議の申立がなされ、その全請求項（請求項１乃至１０）について平成１４年３月７日付けで取消理由の通知がなされ、平成１４年５月２０日に訂正請求書及び異議意見書が提出されたものである。
【２】訂正の適否について
（１）訂正の要旨
　訂正請求書により訂正する訂正事項は、特許請求の範囲の請求項の削除と減縮、及びこれに関連する明細書の記載事項における明りょうでない記載の釈明を目的とするものであって、その訂正内容は、要旨、以下のとおりである。
・【訂正事項1】
　願書に添付した明細書の特許請求の範囲の欄における請求項1の記載
　『【請求項1】
　少なくとも文字とカーソルとを表示する表示手段と、上記表示手段の画面にぺンを用いて入力して、ぺンダウン、ぺンアップおよびドラッグの情報を表わすぺン入力信号を出力するぺン入力手段とを備えた文書情報処理装置において、
　上記ぺン入力手段からのぺン入力信号に基づいて、上記ぺンのドラッグの移動量を判定するぺン移動量判定手段と、
　上記ぺン入力手段からのぺン入力信号に基づいて、上記ぺンのぺンダウンから次のぺンアップまでの時間を判定するぺン入力時間判定手段と、
　上記ぺン入力手段からのぺン入力信号と上記ぺン移動量判定手段の判定結果と上記ぺン入力時間判定手段の判定結果とに基づいて、ぺン操作のモードを判定するモード判定手段とを備えたことを特徴とする文書情報処理装置。』
とあるを、
　『【請求項1】
　少なくとも文字とカーソルとを表示する表示手段と、上記表示手段の画面にぺンを用いて入力して、画面上の座標、ぺンダウン、ぺンアップおよびドラッグの情報を表わすぺン入力信号を出力するぺン入力手段とを備えた文書情報処理装置において、
　上記ぺン入力手段からのぺン入力信号に基づいて、上記ぺンのドラッグの移動量が所定量以下であるか否かを判定するぺン移動量判定手段と、
　上記ぺン入力手段からのぺン入力信号に基づいて、上記ぺンのぺンダウンから次のぺンアップまでの時間を判定するぺン入力時間判定手段と、
　上記ぺン入力手段からのぺン入力信号に基づいて、上記ぺン移動量判定手段が上記ぺンのドラッグの移動量が所定量より小さいと判定した条件の下でし上記ぺン入力時間判定手段が上記ぺンのぺンダウンから次のぺンアップまでの時間が所定時間よりも短いかまたは長いかを判定した結果によって、上記表示手段の画面上の座標情報を伴う2つのペン操作のモードのいずれであるかを判定するモード判定手段とを備えたことを特徴とする文書情報処理装置。』
と訂正します。
・【訂正事項2】
　願書に添付した明細書の特許請求の範囲の欄における請求項2の記載 
　『【請求項2】
　請求項1に記載の文書情報処理装置であって、上記モード判定手段は、上記ペン移動量判定手段の判定結果が所定量より小さくかつ、上記ぺン入力時間判定手段の判定結果が所定時間より短い場合は、ぺン操作のモードをカーソル移動と判定することを特徴とする文書情報処理装置。』
とあるを、
　『【請求項2】
　請求項1に記載の文書情報処理装置であって、上記モード判定手段は、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間より短いと判定したとき」ぺン操作のモードをカーソル移動と判定することを特徴とする文書情報処理装置。』
と訂正します。
・【訂正事項3】
　願書に添付した明細書の特許請求の範囲の欄における請求項3の記載
　『【請求項3】
　請求項1に記載の文書情報処理装置であって、上記モード判定手段は、上記ペン移動量判定手段の判定結果が所定量より小さくかつ、上記ぺン入力時間判定手段の判定結果が所定時間より長い場合は、ぺン操作のモードを範囲指定モードと判定することを特徴とする文書情報処理装置。』
とあるを、
　『【請求項3】
　請求項1に記載の文書情報処理装置であって、上記モード判定手段は、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間より長いと判定したとき、ぺン操作のモードを範囲指定モードと判定することを特徴とする文書情報処理装置。』
と訂正します。
・【訂正事項4】
　願書に添付した明細書の特許請求の範囲の欄における請求項4，5の記載を削除します。
・【訂正事項5】
　願書に添付した明細書の特許請求の範囲の欄における請求項6の記載
　『【請求項6】少なくとも文字とカーソルとを表示する画面にぺンを用いてぺンダウン、ぺンアップおよびドラッグの情報を表わすぺン入力信号を入力し、
　入力されたぺン入力信号に基づいて上記ぺンのドラッグの移動量を判定すると共に、上記ぺンのぺンダウンから次のぺンアップまでの時間を判定し、
　入力されるぺン入力信号と上記ぺン移動量判定結果と上記ぺン入力時間判定結果とに基づいて、ぺン操作のモードを判定することを特徴とする情報処理方法。』
とあるを、
　『【請求項4】
　少なくとも文字とカーソルとを表示する画面にぺンを用いて、画面上の座標，ぺンダウン、ぺンアップおよびドラッグの情報を表わすぺン入力信号を入力し、
　入力されたぺン入力信号に基づいて上記ぺンのドラッグの移動量が所定量以下であるか否かを判定すると共に、上記ぺンのぺンダウンから次のぺンアップまでの時間を判定し、
　入力されるぺン入力信号に基づいて、上記ぺンのドラッグの移動量が所定量より小さいと判定した条件の下で，上記ぺンのぺンダウンから次のぺンアップまでの時間が所定時間より短いかまたは長いかを判定した結果によって、上記画面上の座標情報を伴う2つのぺン操作のモードのいずれであるかを判定することを特徴とする情報処理方法。』
と訂正します。
・【訂正事項6】
　願書に添付した明細書の特許請求の範囲の欄における請求項7の記載
　『【請求項7】
　上記ぺン移動量判定結果が所定量より小さくかつ、上記ぺン入力時間判定結果が所定時間より短い場合は、ぺン操作のモードをカーソル移動と判定することを特徴とする請求項6に記載の清報処理方法。』
とあるを、
　『【請求項5】
　上記ペンのドラッグの移動量が所定量より小さいと判定した条件の下で、上記ぺンのぺンダウンから次のぺンアップまでの時間が所定時間より短いと判定したとき、ぺン操作のモードをカーソル移動と判定することを特徴とする請求項4に記載の情報処理方法。』
と訂正します。
・【訂正事項7】
　願書に添付した明細書の特許請求の範囲の欄における請求項8の記載
　『【請求項8】
上記ぺン移動量判定結果が所定量より小さくかつ、上記ぺン入力時間判定結果が所定時間より長い場合は、ぺン操作のモードを範囲指定モードと判定することを特徴とする請求項6に記載の情報処理方法。』
とあるを、
　『【請求項6】
　上記ぺンのドラッグの移動量が所定量より小さいと判定した条件の下で、上記ぺンのぺンダウンから次のぺンアップまでの時間が所定時間より長いと判定したとき、ぺン操作のモードを範囲指定モードと判定することを特徴とする請求項4に記載の情報処理方法。』
と訂正します。
・【訂正事項8】
　願書に添付した明細書の特許請求の範囲の欄における請求項9，10の記載を削除します。
・【訂正事項9】
　願書に添付した明細書の発明の詳細な説明の欄における段落番号【0007】の記載
　『【0007】
　【課題を解決するための手段】
　上記目的を達成するため、請求項1に記載の文書情報処理装置は、少なくとも文字とカーソルとを表示する表示手段と、上記表示手段の画面にぺンを用いて入力して、ぺンダウン、ぺンアップおよびドラッグの情報を表わすぺン入力信号を出力するぺン入力手段とを備えた文書情報処理装置において、上記ぺン入力手段からのぺン入力信号に基づいて、上記ぺンのドラッグの移動量を判定するぺン移動量判定手段と、上記ぺン入力手段からのぺン入力信号に基づいて、上記ぺンのぺンダウンから次のぺンアップまでの時間を判定するペン入力時間判定手段と、上記ぺン入力手段からのぺン入力信号と上記ぺン移動量判定手段の判定結果と上記ぺン入力時間判定手段の判定結果とに基づいて、ぺン操作のモードを判定するモード判定手段とを備えたことを特徴とする文書情報処理装装置である。』
とあるを、
　『【0007】
　【課題を解決するための手段】
　上記目的を達成するため、請求項1に記載の文書情報処理装置は、少なくとも文字とカーソルとを表示する表示手段と、上記表示手段の画面にぺンを用いて入力して、画面上の座標しぺンダウン、ぺンアップおよびドラッグの情報を表わすぺン入力信号を出力するぺン入力手段とを備えた文書情報処理装置において、上記ぺン入力手段からのぺン入力信号に基づいて、上記ぺンのドラッグの移動量が所定量以下であるか否かを判定するぺン移動量判定手段と、上記ぺン入力手段からのぺン入力信号に基づいて、上記ぺンのぺンダウンから次のぺンアップまでの時間を判定するぺン入力時間判定手段と、上記ぺン入力手段からのぺン入力信号に基づいて、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間よりも短いかまたは長いかを判定した結果によって、上記表示手段の画面上の座標情報を伴う2つのぺン操作のモードのいずれであるかを判定するモード判定手段とを備えたことを特徴とする文書情報処理装置である。』
と訂正します。
・【訂正事項10】
　願書に添付した明細書の発明の詳細な説明の欄における段落番号【0008】の記載
　『【0008】
　また、請求項2に記載の文書情報処理装置は、請求項1に記載の文書情報処理装置であって、上記モード判定手段は、上記ぺン移動量判定手段の判定結果が所定量より小さくかつ、上記ぺン入力時間判定手段の判定結果が所定時間より短い場合は、ぺン操作のモードをカーソル移動と判定することを特徴とする文書情報処理装置である。』
とあるを、
　『【0008】
　また、請求項2に記載の文書情報処理装置は、請求項1に記載の文書情報処理装置であって、上記モード判定手段は、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間より短いと判定したとき、ぺン操作のモードをカーソル移動と判定することを特徴とする文書情報処理装置である。』
と訂正します。
・【訂正事項11】
　願書に添付した明細書の発明の詳細な説明の欄における段落番号【0009】の記載
　『【0009】
　また、請求項3に記載の文書情報処理装置は、請求項1に記載の文書情報処理装置であって、上記モード判定手段は、上記ぺン移動量判定手段の判定結果が所定量より小さくかつ、上記ぺン入力時間判定手段の判定結果が所定時間より長い場合は、ぺン操作のモードを範囲指定モードと判定することを特徴とする文書情報処理装置である。』
とあるを、
　『【0009】
　また、請求項3に記載の文書情報処理装置は、請求項1に記載の文書情報処理装置であって、上記モード判定手段は、上記ペン移動量判定手段が上記ペンのドラッグの移動量が所定量より小さいと判定した条件の下で、上記ペン入力時間判定手段が上記ペンのペンダウンから次のペンアップまでの時間が所定時間より長いと判定したとき、ペン操作のモードを範囲指定モードと判定することを特徴とする文書情報処理装置である。』
と訂正します。
・【訂正事項12】
　願書に添付した明細書の発明の詳細な説明の欄における段落番号【0010】および【0011】の記載を削除します。
・【訂正事項13】
　願書に添付した明細書の発明の詳細な説明の欄における段落番号【0012】の記載
　『【0012】
　また、請求項6に記載の情報処理方法は、少なくとも文字とカーソルとを表示する画面にぺンを用いてぺンダウン、ぺンアップおよびドラッグの情報を表わすぺン入力信号を入力し、入力されたぺン入力信号に基づいて上記ぺンのドラッグの移動量を判定すると共に、上記ぺンのぺンダウンから次のぺンアップまでの時間を判定し、入力されるぺン入力信号と上記ぺン移動量判定結果と上記ぺン入力時間判定結果とに基づいて、ぺン操作のモードを判定することを特徴とする情報処理方法である。』
とあるを、
　『【0012】
　また、請求項4に記載の情報処理方法は、少なくとも文字とカーソルとを表示する画面にペンを用いて、画面上の座標、ぺンダウン、ぺンアップおよびドラッグの情報を表わすぺン入力信号を入力し、入力されたぺン入力信号に基づいて上記ぺンのドラッグの移動量が所定量以下であるか否かを判定すると共に、上記ぺンのぺンダウンから次のぺンアップまでの時間を判定し、入力されるぺン入力信号に基づいて、上記ぺンのドラッグの移動量が所定量より小さいと判定した条件の下で」上記ぺンのぺンダウンから次のぺンアップまでの時間が所定時間より短いかまたは長いかを判定した結果によって、上記画面上の座標情報を伴う2つのぺン操作のモードのいずれであるかを判定することを特徴とする清報処理方法である。』
と訂正します。
・【訂正事項14】
　願書に添付した明細書の発明の詳細な説明の欄における段落番号【0013】の記載
　『【0013】
　また、請求項7に記載の情報処理方法は、上記ペン移動量判定結果が所定量より小さくかつ、上記ペン入力時間判定結果が所定時間より短い場合は、ペン操作のモードをカーソル移動と判定することを特徴とする請求項6に記載の情報処理方法である。』
とあるを、
　『【0013】
　また、請求項5に記載の情報処理方法は、上記ぺンのドラッグの移動量が所定量より小さいと判定した条件の下で、上記ぺンのぺンダウンから次のぺンアップまでの時間が所定時間より短いと判定したとき、ぺン操作のモードをカーソル移動と判定することを特徴とする請求項4に記載の情報処理方法である。』
と訂正します。
・【訂正事項15】
　願書に添付した明細書の発明の詳細な説明の欄における段落番号」【0014】の記載
　『【0014】
　また、請求項8に記載の情報処理方法は、上記ペン移動量判定結果が所定量より小さくかつ、上記ぺン入力時間判定結果が所定時間より長い場合は、ぺン操作のモードを範囲指定モードと判定することを特徴とする請求項6に記載の情報処理方法である。』
とあるを、
　『【0014】
　また、請求項6に記載の情報処理方法は、上記ぺンのドラッグの移動量が所定量より小さいと判定した条件の下で、上記ぺンのぺンダウンから次のぺンアップまでの時間が所定時間より長いと判定したとき、ぺン操作のモードを範囲指定モードと判定することを特徴とする請求項4に記載の情報処理方法である。』
と訂正します。
・【訂正事項16】
　願書に添付した明細書の発明の詳細な説明の欄における段落番号【0015】および【0016】の記載を削除します。
・【訂正事項17】
　願書に添付した明細書の発明の詳細な説明の欄における段落番号【0066】の記載
　『【0066】
　【発明の効果】
　以上より明らかなように、請求項1乃至10のいずれか1つに記載の発明によれば、自動的にペン操作のモードを例えばカーソル移動、範囲指定、手書き編集および手書き文字入力のうちのどのモードであるかを判定することができ、モードの選定操作を行う必要がないので、操作性が向上して、編集および入力時間を短縮することができる。』
とあるを、
　『【0066】
　【発明の効果】
　以上より明らかなように、請求項1乃至6のいずれか1つに記載の発明によれば、自動的にぺン操作のモードを例えばカーソル移動、範囲指定、手書き編集および手書き文字入力のうちのどのモードであるかを判定することができ、モードの選定操作を行う必要がないので、操作性が向上して、編集および入力時間を短縮することができる。』
と訂正します。
（２）訂正の適否についての判断
＜訂正の目的の適否、新規事項の有無及び特許請求の範囲の拡張・変更の存否についての判断＞
(2-1)訂正の目的等
　本件訂正の要旨は、上記訂正事項１乃至１７のとおりであって、その訂正事項１乃至３、５乃至７の訂正内容は、それぞれ特許請求の範囲の請求項１乃至３、６乃至８に係る発明について特許請求の範囲の減縮を目的とし、また訂正事項４及び８の訂正内容は、特許請求の範囲の請求項４、５、９、１０を削除するものであり、さらに訂正事項９乃至１７の訂正内容は、いずれも前記訂正事項１乃至８による特許請求の範囲の減縮及び請求項の削除に伴なう明りょうでない記載の釈明を目的とするものである。
(2-2)検討
　以下、各訂正事項について検討する。
・前記訂正事項１乃至３、５乃至７については、特許査定時の特許請求の範囲の請求項１乃至３、６乃至８に記載された発明について、構成を限定して明確になすものであり、特許請求の範囲の減縮に相当し、またいずれも願書に添付した明細書の特許請求の範囲の請求項２、３及び段落番号【0018】【0020】【0021】【0022】に記載されていた事項の範囲内のものであって、特許請求の範囲を拡張しまたは変更するものではない。
・前記訂正事項４及び８については、前記特許請求の範囲の請求項を削除するものであって、いずれも特許請求の範囲を拡張しまたは変更するものではない。
・前記訂正事項９乃至１７については、前記特許請求の範囲の減縮及び請求項の削除により不明りょうとなる事項に係る詳細な説明の欄の記載について、この詳細な説明の欄の記載全般の整合性を保つために訂正するものであって、明りょうでない記載の釈明に相当し、また詳細な説明の欄の記載事項（段落番号【0010】【0011】【0015】【0016】）を削除するなど、いずれも願書に添付した明細書に記載されていた事項の範囲内のものである。
・以上のとおりであって、前記訂正事項１乃至１７に係る訂正は、いずれも特許請求の範囲の減縮、請求項の削除及び明りょうでない記載の釈明を目的とするものであり、新規事項を追加するものではなく、また請求項を追加するなど実質的に特許請求の範囲を拡張し又は変更するものとも認められない。
(2-3)まとめ
　以上のとおり、上記訂正は、特許法第１２０条の４第２項ただし書き及び第３項において準用する特許法第１２６条第２項及び第３項の規定に適合するので、当該訂正を認める。
【３】本件特許発明
　本件の訂正された特許請求の範囲の請求項１乃至６に係る発明は、次のとおりのものである。
「【請求項１】　少なくとも文字とカーソルとを表示する表示手段と、上記表示手段の画面にぺンを用いて入力して、
画面上の座標、
　上記ぺン入力手段からのぺン入力信号に基づいて、上記ぺンのドラッグの移動量
が所定量以下であるか否か
　上記ぺン入力手段からのぺン入力信号に基づいて、上記ぺンのぺンダウンから次のぺンアップまでの時間を判定するぺン入力時間判定手段と、
　上記ぺン入力手段からのぺン入力信号
に基づいて、
が上記ぺンのぺンダウンから次のぺンアップまでの時間が所定時間よりも短いかまたは長いかを判定した結果によって、上記表示手段の画面上の座標情報を伴う２つの
のいずれであるか
　【請求項２】　請求項１に記載の文書情報処理装置であって、上記モード判定手段は、上記ぺン移動量判定手段が
上記ぺンのドラッグの移動量が所定量より小さいと判定した条件の下で、
が上記ぺンのぺンダウンから次のぺンアップまでの時間が
判定したとき、
　【請求項３】　請求項１に記載の文書情報処理装置であって、上記モード判定手段は、上記ぺン移動量判定手段
が上記ぺンのドラッグの移動量が所定量より小さいと判定した条件の下で
が上記ぺンのぺンダウンから次のぺンアップまでの時間が
判定したとき、
。
４
、画面上の座標、
　入力されたぺン入力信号に基づいて上記ぺンのドラッグの移動量
が所定量以下であるか否か
　入力されるぺン入力信号
に基づいて、
のドラッグの移動量が所定量より小さいと判定した条件の下で、
のぺンダウンから次のぺンアップまでの時間が所定時間より短いかまたは長いかを判定した結果によって、上記画面上の座標情報を伴う２つの
のいずれであるか
　【請求項
５
のドラッグの移動量が所定量より小さいと判定した条件の下で
のぺンダウンから次のぺンアップまでの時間
と判定したとき
４
　【請求項
６
のドラッグの移動量が所定量より小さいと判定した条件の下で
のぺンダウンから次のぺンアップまでの時間
と判定したとき
４
。
【４】本件特許異議の申立て及び取消理由通知について
（１）異議申立ての理由の概要
　特許異議申立人佐藤勝明は、証拠方法として甲第１号証（特開平5-61596号公報）、甲第２号証（特開平6-236233号公報)、甲第３号証（特公昭59-11935号公報)及び甲第４号証（特開平5-274081号公報）を提出し、「本件請求項1〜10に係る各特許発明は、甲第1号証、甲第2号証、甲第3号証、甲第4号証に記載された発明に基いて、その発明の属する技術の分野における通常の知識を有する者が容易に発明をすることができたものであるから、特許法第29条第2項の規定により特許を受けることができないものであり、特許法第113条第2号の規定により取り消すべきものである。」としている。（なお、本件特許及び特許異議申立てに係る手続きの経緯は、前記【１】記載のとおりである。）
（２）取消理由通知の概要
　当審における取消理由は、全請求項（請求項１乃至１０）に係る発明について下記の刊行物を引用し、概要、以下のとおり通知したものである。
　刊行物１　特開平５ー６１５９６号公報
　刊行物２　特開平６ー２３６２３３号公報
　刊行物３　特公昭５９ー１１９３５号公報
　刊行物４　特開平５ー２７４０８１号公報
『１）本件出願は、明細書及び図面の記載が下記【２】の点で不備のため、特許法第３６条第４項及び第５項に規定する要件を満たしていない。
　２）本件出願の請求項１乃至１０に係る発明は、その出願前日本国内または外国において頒布された下記の刊行物１乃至４に記載された発明に基づいて、その出願前にその発明の属する技術の分野における通常の知識を有する者が容易に発明をすることができたものであるから、特許法第２９条第２項の規定により特許を受けることができない。
　……（以下省略）……。』
【５】当審の判断
・特許法第２９条第２項違反について
（なお、特許法第３６条違反については、取消理由に係わる請求項が削除等された結果、取消理由は解消された。）
（１）本件特許発明
　訂正された特許請求の範囲の請求項（以下、単に「訂正請求項」という。）１乃至６に係る発明は、前記【３】記載のとおりのものである。
（なお、訂正請求項４乃至６に係る発明は、前記のとおり「情報処理方法」であり、訂正請求項１乃至３に係る発明の「文書情報処理装置」を「情報処理方法」として構成したものであって、これらは実質的に「装置」の発明を「方法」の発明としたカテゴリーの相違に過ぎないものであるから、両者間に係わる対比・判断は同旨であり、訂正請求項４乃至６に係る発明についての対比・判断は訂正請求項１乃至３に係る発明についての対比・判断を引用する。）
（２）引用刊行物
 (2-1)前記取消理由で引用した刊行物１（特開平５ー６１５９６号公報）には、実施例及び図面第１〜６図とこれらに係わる記載を参酌すると、以下のとおりの記載が認められる。
 (i)「【請求項１】座標を指示するための指示部と指示部によって指示された位置座標を読み取る座標検出部とから成り、入力された文字等を示すデータ列を出力する座標入力部と、上記座標入力部から出力されるデータ列が形成している文字等の入力パターンを認識するパターン認識部と、上記座標入力部と重なるように配置され、認識結果の文字等を表示し、かつカーソルを表示している表示部とから構成される入力表示一体形のオンライン手書文字入力装置において、
　一画目の入力ストロークの長さがあらかじめ定められた値より短いか否かを判定し、短いと判定された場合には該入力をカーソル指示と判定し、長いと判定された場合には該入力を手書文字の入力と判定することを特徴とするオンライン手書入力装置における文字入力／カーソル指示判定方法。
　【請求項２】上記一画目の入力ストロークがカーソル位置上にある場合、上記入力ストロークの長さと無関係に、該入力を文字入力と判定することを特徴とする請求項１記載のオンライン手書入力装置における文字入力／カーソル指示判定方法。
　【請求項３】上記一画目の入力ストロークの長さがあらかじめ定められた値より短いか否かを判定し、短いと判定された場合においても、２画目の入力が一定時間以内に所定範囲の同一入力位置について行われた場合には、該入力を文字入力と判定することを特徴とする請求項１記載のオンライン手書入力装置における文字入力／カーソル指示判定方法。」（第2頁左欄第2〜23行、特許請求の範囲）
 (ii)「【作用】本発明を採用した入力一体形オンライン手書入力装置は、入力部に入力があると、その一画目の入力ストロークの長さを読み取り、そこで該ストロークがある閾値より長ければ該ストロークは文字入力と判定し、短かければカーソル移動指示であると判定する。」（第2頁右欄第13〜17行、段落番号【0007】）
 (iii)「図1において、座標入力部1上の文字入力部1aにスタイラスペン8で入力したストロークの座標データ列は、座標解析部3に入力される。座標解析部3は、入力された座標データ列が文字入力部1a上のデータであるか否かを判定し、文字入力部1a上のデータである場合には、入力された座標データ列をカーソル解析部5を介して表示制御部6に出力する。表示制御部6は、入力された座標データ列に基づいて、表示部2上のスタイラスペン8の入力位置に筆跡を表示する。次に、座標解析部3は、入力ストロークがカーソル指示であるかまたは文字入力であるかを判定する。カーソル指示と判定された場合には、カーソル解析部5がスタイラスペンで指示されたカーソル位置を解析し、カーソル指示された位置を示すカーソル位置データを表示制御部6に出力する。表示制御部6は、カーソル解析部5から入力されたカーソル位置データに対応する表示部2上の表示位置にカーソルを表示する。」（第2頁右欄第21〜37行、段落番号【0008】）
 (iv)「【0012】次に、座標解析部3における入力ストロークがカーソル指示であるかまたは文字入力であるかの判別法について説明する。第2図に示すように、スタイラスペン8による入力の1画目のストローク長Lに対してある閾値Ltを設定し、入力位置10aに示すように1画目のストローク長Lが閾値Ltより小さければ入力はカーソル指示と判定し、また入力位置10bに示すように閾値Ltより大きければ文字入力と判定する。
【0013】本実施例によれば、メニュー入力での文字入力位置を示すカーソル指示と手書文字入力をモード切り換え等の余分なオペレーション無しに区別して入力できる効果がある。」（第3頁左欄第21〜32行、段落番号【0012】【0013】）
 (v)「【0015】また、図1に示す実施例においては、一画目のストローク長Lが閾値Ltより小さければ無条件にカーソル指示と判定した。しかし、入力した位置にカーソルが存在すれば、カーソル位置へのカーソル指示はオペレータ操作としてはありえなく無意味である。その上、カーソルを表示したままであると、入力文字の筆跡が表示できない。そこで、たとえ一画目のストローク長Lが閾値Ltより短いくても、カーソル位置への入力である場合には、スタイラスペン8がカーソル位置に触れた瞬間にカーソルを消去して入力文字の筆跡を見えるようにし、かつ入力を全て文字入力と判断する。図4および図5は、この様子を示したものである。図4に示すように、文字入力部1aの入力位置11にカーソルが存在するとき、入力位置11へ文字を入力したとする。このとき、図5に示すように、カーソルは入力直後に消され、且つ一画目のストローク長Lが閾値Ltより小さくとも文字と判定して文字認識を行う。」（第3頁左欄第43行〜同頁右欄第9行、段落番号【0015】）
 (vi)「【0016】また、図1に示す実施例では、ひらがな「う」や三ずいへんの漢字等の文字は筆記者により1画目が短く、入力がカーソルと判定されてしまう可能性がある。そこで、図6に示すように、1画目のストローク長L1が閾値Ltより短くとも、一定時間内に入力位置11に2画目以降の入力があれば文字と判断する。図6に示す例によれば、1画目のストローク長が短い文字であり、そのままではカーソルと誤認識されてしまう場合においても、正しく文字と認識できる効果がある。」（第3頁右欄第12〜20行、段落番号【0016】）
 (vii)「【発明の効果】以上の説明から明らかなように、本発明によれば、入力表示一体形オンライン手書入力装置において、入力が文字入力であるかまたはカーソル指示であるかを、スイッチやメニュー選択等によってモード切り替えを行うことなく、オペレータの自然な操作で区別して入力することができるため、入力効率を向上することができる。」（第3頁右欄第22〜28行、段落番号【0017】）
 (2-2)同じく引用した刊行物２（特開平６ー２３６２３３号公報）は、ペン入力情報処理装置であって、これには「座標指示を行うためのペンと、上記ペンがペンダウン状態であるか否かを検知するペンダウン検知手段と、ペン入力領域における指示座標を検知する座標検知手段と、上記ペンダウン検知手段によりペンダウン状態であることが検知され始めから終わるまでの連続ペンダウン時間を判定する判定手段と、予め決められた複数の特定機能の中から、該連続ペンダウン時間に応じた機能を選択する選択手段とを備え、上記ペンダウン検知手段によりペンダウン状態であることが検知され、かつ、上記座標検知手段により座標が検知されなかった場合に、上記選択手段により選択された機能を実行することを特徴とするペン入力情報処理装置」（公報第2頁、請求項2参照）、及び「109はペン先スイッチ103によりペンダウン状態であることが検知されてからペン先が押し下げられていない状態（以下、ペンアップ状態と称す。）であることが検知されるまでの時間（以下、連続ペンダウン時間と称す。）、または、ペン先スイッチ103によりペンダウン状態であることが検知されてからペンアップ状態であることが検知されるまでを1回のペンダウンとした場合の回数（以下、連続ペンダウン回数と称す。）を判定する判定手段」（同第5頁左欄第15〜23行）と記載されており、「指示座標を検知する」とともに、ペン入力の状態に関して「ペンダウン検知手段によりペンダウン状態であることが検知され始めから終わるまでの連続ペンダウン時間を判定し」、さらに「予め決められた複数の特定機能の中から、該連続ペンダウン時間に応じた機能を選択する」技術的事項が開示されている。
 (2-3)同じく引用した刊行物３（特公昭５９ー１１９３５号公報）は、描画像の部分消去方法であって、これには「入力点の位置座標が一定時間変化せずかつペンダウン検出信号9を検出し続けると、制御部4および消去領域発生器3は第3図（モニタ6の表示）に示すようにカーソル10の面積を保持時間に比例するように拡大（カーソル11）してモニタ6に表示する。そして入力点のペンダウン検出信号9が検出されなくなったときに表示されていたカーソル11の部分に相当する領域の画像を消去するものである。」（公報第2頁左欄第28〜36行）旨記載されており、「ペンダウン状態」を判定要素とする技術的事項が開示されている。
 (2-4)同じく引用した刊行物４（特開平５ー２７４０８１号公報）は、手書き入力装置であって、これには「ペンがオンの状態のままタブレットより連続して同一の座標データが入力された回数をカウントし、その数が所定数を越えたとき、タブレットより入力された座標データを指定座標として判定するので、ある一定の時間以上ペンを同一座標上で止めておくだけで座標指定が可能になる。」（段落番号【0009】）旨記載されており、「ペンダウン状態」を判定要素とする技術的事項が開示されている。
（３）本件訂正請求項１、４に係る発明について
（対比・判断）
　本件訂正請求項１に係る発明（以下「本件訂正発明」という。）と前記刊行物１に記載された発明とを対比すると、刊行物１における「表示部(2)と表示制御部(6)」及び「座標入力部(1)」は、それぞれ本件訂正発明における「表示手段」及び「ペン入力手段」に相当するものと認められる。そして、刊行物１における「座標解析部(3)」は、前記摘記(ii)した段落番号【0008】によると、「入力された座標データ列が文字入力部1a上のデータであるか否かを判定し」、「入力ストロークがカーソル指示であるかまたは文字入力であるかを判定する」もの、すなわち、ペン移動量を判定し、また２つのペン操作のモードのいずれかであるかを判定しているのであるから、本件訂正発明における「ペン移動量判定手段」及び「モード判定手段」の機能を具備するものと認められ、また「座標解析部(3)」は、同じく前記摘記(v)した段落番号【0015】及び摘記(vi)した段落番号【0016】によると、「一画目のストローク長Lが閾値Ltより小さければ無条件にカーソル指示と判定した。しかし」とし、「そこで、図6に示すように、1画目のストローク長L1が閾値Ltより短くとも、
一定時間内に
入力があれば
　したがって、両者は、以下のとおりの一致点及び相違点を有するものと認められる。
（一致点）
「少なくとも文字とカーソルとを表示する表示手段と、上記表示手段の画面にぺンを用いて入力して、画面上の座標、ぺンダウン、ぺンアップおよびドラッグの情報を表わすぺン入力信号を出力するぺン入力手段とを備えた文書情報処理装置において、
　上記ぺン入力手段からのぺン入力信号に基づいて、上記ぺンのドラッグの移動量が所定量以下であるか否かを判定するぺン移動量判定手段と、
　上記ぺン入力手段からのぺン入力信号に基づいて、上記ぺンの所定時間を判定するぺン入力時間判定手段と、
　上記ぺン入力手段からのぺン入力信号に基づいて、上記ぺン移動量判定手段が上記ぺンのドラッグの移動量が所定量より小さいと判定した条件の下で、上記ぺン入力時間判定手段が上記ぺンの時間が所定時間よりも短いかまたは長いかを判定した結果によって、上記表示手段の画面上の座標情報を伴う２つのペン操作のモードのいずれであるかを判定するモード判定手段とを備えた文書情報処理装置。」
（相違点）
　本件訂正発明にあっては、ペン入力時間判定手段がペン入力手段からのペン入力信号に基づいて、「上記ペンのペンダウンから次のペンアップまでの時間を判定する」ものであり、モード判定手段がこのペン入力時間判定手段の判定結果にも基づいて、「ペン操作のモードを判定する」ものであるのに対して、刊行物１にあっては、座標解析部(3)が、ペン入力手段からのペン入力信号に基づいて、「上記ペンのペンダウンから次のペンダウンまでの時間を判定する」ものであり、この判定結果に基づいて、「ペン操作のモードを判定する」ものである点、
（検討）
　上記相違点について検討すると、上記刊行物２乃至４に記載された発明においても、ペン入力の位置を検知すると共に、このペン入力の状態、すなわちペンダウン状態を入力のモード判定（手段）のための判定要素とすることが開示されており、殊に刊行物２には「109はペン先スイッチ103によりペンダウン状態であることが検知されてからペン先が押し下げられていない状態（以下、ペンアップ状態と称す。）であることが検知されるまでの時間（以下、連続ペンダウン時間と称す。）……を判定する判定手段」と明記されているように、ペン入力手段からのペン入力信号に基づいて、「上記ペンのペンダウンから次のペンアップまでの時間を判定するペン入力時間判定手段」を備えることが開示されているのであるから、ぺンダウンから次のぺンアップまでのペン入力時間はモード判定（手段）のための判定要素として従来より周知の技術的事項であると認められる。そして、本件訂正発明の文書情報処理装置（或いは情報処理方法）に備えるペン入力手段においても、前記周知の技術的事項に係るペン入力手段と共通する技術であり、ペン入力手段に係る当該周知の技術的事項を採用することができない特段の事由も見当たらないから、本件訂正請求項１（及び４）に係る発明のように構成することは、上記刊行物１乃至４に記載された発明に基づいて当業者が容易になし得ることと認められる。
　また、本件訂正発明により奏する作用効果も、当業者が予測し得る程度のものであって格別のものとは認められない。
（なお、本件訂正発明の判定手段に係わる実施例においても、２つのペン操作のモードのいずれであるかの判定には、本件明細書の【表１】に明示されているように、「ペンダウン時間」のみでなく、さらに「ペンアップしてから２ストローク目のダウンまでの時間」をも加味して判定を行っているものである。）
　したがって、本件訂正請求項１及び４に係る発明は、上記刊行物１乃至４に記載された発明に基づいて当業者が容易に発明をすることができたものであって、訂正請求項１及び４に係る発明の特許は、いずれも特許法第２９条第２項の規定に違反してなされたものである。
（特許権者の主張について）
　特許権者は、異議意見書において「本件請求項1，4に係る発明は、特徴点○1『ぺンのぺンダウンから次のぺンアップまでの時間が所定時間より短いかまたは長いかを判定した結果によって、画面上の座標情報を伴う2つのぺン操作のモードのいずれであるかを判定する点』を有するのです。……（略）……。
　より詳しく言うと、刊行物1〜4のいずれも、ぺンのぺンダウンから次のぺンアップまでの時間に基づいて、画面上の座標情報を伴う2つのぺン操作のモードのいずれであるかを判定していません。つまり、刊行物1〜4は、本件請求項1，4に係る発明の特徴点○1を有していないのです。」（異議意見書第7頁第19行〜第8頁第1行）旨、主張している。
　しかしながら、刊行物１においても、前記したように「図6に示すように、1画目のストローク長L1が閾値Ltより短くとも、一定時間内に入力位置11に2画目以降の入力があれば文字と判断する。図6に示す例によれば、1画目のストローク長が短い文字であり、そのままではカーソルと誤認識されてしまう場合においても、正しく文字と認識できる効果がある。」（第3頁右欄第12〜20行、段落番号【0016】）旨明記されており、また「ぺンのぺンダウンから次のぺンアップまでの時間」がペン操作の入力モードの判定要素とされることも、殊に刊行物２に開示されているのであるから、特許権者の当該主張は採用することができない。
（４）本件訂正請求項２、５に係る発明について
（対比・判断）
　本件訂正請求項２（訂正請求項５）に係る発明は、前記訂正請求項１（訂正請求項４）に係る発明を引用するものであって、この訂正請求項１（訂正請求項４）に係る発明において、さらに判定されるモードの具体的構成を「上記モード判定手段は、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間より短いと判定したとき、ぺン操作のモードをカーソル移動と判定する」ものに限定したものであり、この「カーソル移動と判定する」点の具体的構成が前記刊行物１に記載された発明とさらに相違するものと認められる。
　そこで、このさらなる相違点について検討すると、前記刊行物１乃至４のいずれにも、この相違点に係わる「カーソル移動と判定する」点の具体的構成が開示乃至示唆されているものとは認められない。そして、モードの判定に種々の判定要素を利用することが技術常識であることを勘案しても、この構成が導き出されることを示唆する周知技術も見当たらないから、これら刊行物１乃至４及び技術常識によっても、このさらなる相違点に係わる構成を当業者が容易になし得るものとは認めることができない。
　したがって、本件訂正請求項２及び５に係る発明の特許は、いずれも特許法第２９条第２項の規定に違反してなされたものとすることはできない。
（５）本件訂正請求項３、６に係る発明について
（対比・判断）
　本件訂正請求項３（訂正請求項６）に係る発明は、前記訂正請求項１（訂正請求項４）に係る発明を引用するものであって、この訂正請求項１（訂正請求項４）に係る発明において、さらに判定されるモードの具体的構成を「上記モード判定手段は、上記ぺン移動量判定手段が上記ぺンのドラッグの移動量が所定量より小さいと判定した条件の下で、上記ぺン入力時間判定手段が上記ぺンのぺンダウンから次のぺンアップまでの時間が所定時間より長いと判定したとき、ぺン操作のモードを範囲指定モードと判定する」ものに限定したものであり、この「範囲指定モードと判定する」点の具体的構成が前記刊行物１に記載された発明とさらに相違するものと認められる。
　そこで、このさらなる相違点について検討すると、前記刊行物１乃至４のいずれにも、この相違点に係わる「範囲指定モードと判定する」点の具体的構成が開示乃至示唆されているものとは認められない。そして、モードの判定に種々の判定要素を利用することが技術常識であることを勘案しても、この構成が導き出されることを示唆する周知技術も見当たらないから、これら刊行物１乃至４及び技術常識によっても、このさらなる相違点に係わる構成を当業者が容易になし得るものとは認めることができない。
　したがって、本件訂正請求項３及び６に係る発明の特許は、いずれも特許法第２９条第２項の規定に違反してなされたものとすることはできない。
（６）まとめ
　以上のとおり、本件訂正請求項１、４に係る発明は、刊行物１乃至４（異議甲第１乃至４号証）に記載された発明に基づいて当業者が容易に発明をすることができたものであるから、訂正請求項１、４に係る発明の特許は特許法第２９条第２項の規定に違反してなされたものである。
　また、本件訂正請求項２、３、５、６に係る発明は、刊行物１乃至４（異議甲第１乃至４号証）に記載された発明に基づいて当業者が容易に発明をすることができたものとすることができない。そして、他に、訂正請求項２、３、５、６に係る発明の特許を取り消すべき理由を見出すことができない。
【６】むすび
　以上のとおりであるから、本件の訂正された特許請求の範囲の請求項１、４に係る発明の特許は、いずれも特許法第２９条第２項の規定に違反してなされたものであるから、特許法第１１３条第２号に該当し、取り消されるべきものである。
　また、同請求項２、３、５、６に係る発明の特許は、これを取り消すべき理由はない。
　よって、結論のとおり決定する。
【異議決定日】
平成１４年８月６日（２００２．８．６）
【訂正の要旨】
訂正の要旨
　【訂正事項１】
　願書に添付した明細書の特許請求の範囲の欄における請求項１の記載
　『【請求項１】
　少なくとも文字とカーソルとを表示する表示手段と、上記表示手段の画面にペンを用いて入力して、ペンダウン、ペンアップおよびドラッグの情報を表わすペン入力信号を出力するペン入力手段とを備えた文書情報処理装置において、
　上記ペン入力手段からのペン入力信号に基づいて、上記ペンのドラッグの移動量を判定するペン移動量判定手段と、
　上記ペン入力手段からのペン入力信号に基づいて、上記ペンのペンダウンから次のペンアップまでの時間を判定するペン入力時間判定手段と、
　上記ペン入力手段からのペン入力信号と上記ペン移動量判定手段の判定結果と上記ペン入力時間判定手段の判定結果とに基づいて、ペン操作のモードを判定するモード判定手段とを備えたことを特徴とする文書情報処理装置。』
とあるを、
　『【請求項１】
　少なくとも文字とカーソルとを表示する表示手段と、上記表示手段の画面にペンを用いて入力して、画面上の座標、ペンダウン、ペンアップおよびドラッグの情報を表わすペン入力信号を出力するペン入力手段とを備えた文書情報処理装置において、
　上記ペン入力手段からのペン入力信号に基づいて、上記ペンのドラッグの移動量が所定量以下であるか否かを判定するペン移動量判定手段と、
　上記ペン入力手段からのペン入力信号に基づいて、上記ペンのペンダウンから次のペンアップまでの時間を判定するペン入力時間判定手段と、
　上記ペン入力手段からのペン入力信号に基づいて、上記ペン移動量判定手段が上記ペンのドラッグの移動量が所定量より小さいと判定した条件の下で、上記ペン入力時間判定手段が上記ペンのペンダウンから次のペンアップまでの時間が所定時間よりも短いかまたは長いかを判定した結果によって、上記表示手段の画面上の座標情報を伴う２つのペン操作のモードのいずれであるかを判定するモード判定手段とを備えたことを特徴とする文書情報処理装置。』
と訂正します。
　【訂正事項２】
　願書に添付した明細書の特許請求の範囲の欄における請求項２の記載
　『【請求項２】
　請求項１に記載の文書情報処理装置であって、上記モード判定手段は、上記ペン移動量判定手段の判定結果が所定量より小さくかつ、上記ペン入力時間判定手段の判定結果が所定時間より短い場合は、ペン操作のモードをカーソル移動と判定することを特徴とする文書情報処理装置。』
とあるを、
　『【請求項２】
　請求項１に記載の文書情報処理装置であって、上記モード判定手段は、上記ペン移動量判定手段が上記ペンのドラッグの移動量が所定量より小さいと判定した条件の下で、上記ペン入力時間判定手段が上記ペンのペンダウンから次のペンアップまでの時間が所定時間より短いと判定したとき、ペン操作のモードをカーソル移動と判定することを特徴とする文書情報処理装置。』
と訂正します。
　【訂正事項３】
　願書に添付した明細書の特許請求の範囲の欄における請求項３の記載
　『【請求項３】
　請求項１に記載の文書情報処理装置であって、上記モード判定手段は、上記ペン移動量判定手段の判定結果が所定量より小さくかつ、上記ペン入力時間判定手段の判定結果が所定時間より長い場合は、ペン操作のモードを範囲指定モードと判定することを特徴とする文書情報処理装置。』
とあるを、
　『【請求項３】
　請求項１に記載の文書情報処理装置であって、上記モード判定手段は、上記ペン移動量判定手段が上記ペンのドラッグの移動量が所定量より小さいと判定した条件の下で、上記ペン入力時間判定手段が上記ペンのペンダウンから次のペンアップまでの時間が所定時間より長いと判定したとき、ペン操作のモードを範囲指定モードと判定することを特徴とする文書情報処理装置。』
と訂正します。
　【訂正事項４】
　願書に添付した明細書の特許請求の範囲の欄における請求項４，５の記載を削除します。
　【訂正事項５】
　願書に添付した明細書の特許請求の範囲の欄における請求項６の記載
　『【請求項６】少なくとも文字とカーソルとを表示する画面にペンを用いてペンダウン、ペンアップおよびドラッグの情報を表わすペン入力信号を入力し、
　入力されたペン入力信号に基づいて上記ペンのドラッグの移動量を判定すると共に、上記ペンのペンダウンから次のペンアップまでの時間を判定し、
　入力されるペン入力信号と上記ペン移動量判定結果と上記ペン入力時間判定結果とに基づいて、ペン操作のモードを判定することを特徴とする情報処理方法。』
とあるを、
　『【請求項４】
　少なくとも文字とカーソルとを表示する画面にペンを用いて、画面上の座標、ペンダウン、ペンアップおよびドラッグの情報を表わすペン入力信号を入力し、
　入力されたペン入力信号に基づいて上記ペンのドラッグの移動量が所定量以下であるか否かを判定すると共に、上記ペンのペンダウンから次のペンアップまでの時間を判定し、
　入力されるペン入力信号に基づいて、上記ペンのドラッグの移動量が所定量より小さいと判定した条件の下で、上記ペンのペンダウンから次のペンアップまでの時間が所定時間より短いかまたは長いかを判定した結果によって、上記画面上の座標情報を伴う２つのペン操作のモードのいずれであるかを判定することを特徴とする情報処理方法。』
と訂正します。
　【訂正事項６】
　願書に添付した明細書の特許請求の範囲の欄における請求項７の記載
　『【請求項７】
　上記ペン移動量判定結果が所定量より小さくかつ、上記ペン入力時間判定結果が所定時間より短い場合は、ペン操作のモードをカーソル移動と判定することを特徴とする請求項６に記載の清報処理方法。』
とあるを、
　『【請求項５】
　上記ペンのドラッグの移動量が所定量より小さいと判定した条件の下で、上記ペンのペンダウンから次のペンアップまでの時間が所定時間より短いと判定したとき、ペン操作のモードをカーソル移動と判定することを特徴とする請求項４に記載の情報処理方法。』
と訂正します。
　【訂正事項７】
　願書に添付した明細書の特許請求の範囲の欄における請求項８の記載
　『【請求項８】
上記ペン移動量判定結果が所定量より小さくかつ、上記ペン入力時間判定結果が所定時間より長い場合は、ペン操作のモードを範囲指定モードと判定することを特徴とする請求項６に記載の情報処理方法。』
とあるを、
　『【請求項６】
　上記ペンのドラッグの移動量が所定量より小さいと判定した条件の下で、上記ペンのペンダウンから次のペンアップまでの時間が所定時間より長いと判定したとき、ペン操作のモードを範囲指定モードと判定することを特徴とする請求項４に記載の情報処理方法。』
と訂正します。
　【訂正事項８】
　願書に添付した明細書の特許請求の範囲の欄における請求項９，１０の記載を削除します。
　【訂正事項９】
　願書に添付した明細書の発明の詳細な説明の欄における段落番号【０００７】の記載
　『【０００７】
　【課題を解決するための手段】
　上記目的を達成するため、請求項１に記載の文書情報処理装置は、少なくとも文字とカーソルとを表示する表示手段と、上記表示手段の画面にペンを用いて入力して、ペンダウン、ペンアップおよびドラッグの情報を表わすペン入力信号を出力するペン入力手段とを備えた文書情報処理装置において、上記ペン入力手段からのペン入力信号に基づいて、上記ペンのドラッグの移動量を判定するペン移動量判定手段と、上記ペン入力手段からのペン入力信号に基づいて、上記ペンのペンダウンから次のペンアップまでの時間を判定するペン入力時間判定手段と、上記ペン入力手段からのペン入力信号と上記ペン移動量判定手段の判定結果と上記ペン入力時間判定手段の判定結果とに基づいて、ペン操作のモードを判定するモード判定手段とを備えたことを特徴とする文書情報処理装装置である。』
とあるを、
　『【０００７】
　【課題を解決するための手段】
　上記目的を達成するため、請求項１に記載の文書情報処理装置は、少なくとも文字とカーソルとを表示する表示手段と、上記表示手段の画面にペンを用いて入力して、画面上の座標しペンダウン、ペンアップおよびドラッグの情報を表わすペン入力信号を出力するペン入力手段とを備えた文書情報処理装置において、上記ペン入力手段からのペン入力信号に基づいて、上記ペンのドラッグの移動量が所定量以下であるか否かを判定するペン移動量判定手段と、上記ペン入力手段からのペン入力信号に基づいて、上記ペンのペンダウンから次のペンアップまでの時間を判定するペン入力時間判定手段と、上記ペン入力手段からのペン入力信号に基づいて、上記ペン移動量判定手段が上記ペンのドラッグの移動量が所定量より小さいと判定した条件の下で、上記ペン入力時間判定手段が上記ペンのペンダウンから次のペンアップまでの時間が所定時間よりも短いかまたは長いかを判定した結果によって、上記表示手段の画面上の座標情報を伴う２つのペン操作のモードのいずれであるかを判定するモード判定手段とを備えたことを特徴とする文書情報処理装置である。』
と訂正します。
　【訂正事項１０】
　願書に添付した明細書の発明の詳細な説明の欄における段落番号【０００８】の記載
　『【０００８】
　また、請求項２に記載の文書情報処理装置は、請求項１に記載の文書情報処理装置であって、上記モード判定手段は、上記ペン移動量判定手段の判定結果が所定量より小さくかつ、上記ペン入力時間判定手段の判定結果が所定時間より短い場合は、ペン操作のモードをカーソル移動と判定することを特徴とする文書情報処理装置である。』
とあるを、
　『【０００８】
　また、請求項２に記載の文書情報処理装置は、請求項１に記載の文書情報処理装置であって、上記モード判定手段は、上記ペン移動量判定手段が上記ペンのドラッグの移動量が所定量より小さいと判定した条件の下で、上記ペン入力時間判定手段が上記ペンのペンダウンから次のペンアップまでの時間が所定時間より短いと判定したとき、ペン操作のモードをカーソル移動と判定することを特徴とする文書情報処理装置である。』
と訂正します。
　【訂正事項１１】
　願書に添付した明細書の発明の詳細な説明の欄における段落番号【０００９】の記載
　『【０００９】
　また、請求項３に記載の文書情報処理装置は、請求項１に記載の文書情報処理装置であって、上記モード判定手段は、上記ペン移動量判定手段の判定結果が所定量より小さくかつ、上記ペン入力時間判定手段の判定結果が所定時間より長い場合は、ペン操作のモードを範囲指定モードと判定することを特徴とする文書情報処理装置である。』
とあるを、
　『【０００９】
　また、請求項３に記載の文書情報処理装置は、請求項１に記載の文書情報処理装置であって、上記モード判定手段は、上記ペン移動量判定手段が上記ペンのドラッグの移動量が所定量より小さいと判定した条件の下で、上記ペン入力時間判定手段が上記ペンのペンダウンから次のペンアップまでの時間が所定時間より長いと判定したとき、ペン操作のモードを範囲指定モードと判定することを特徴とする文書情報処理装置である。』
と訂正します。
　【訂正事項１２】
　願書に添付した明細書の発明の詳細な説明の欄における段落番号【００１０】および【００１１】の記載を削除します。
　【訂正事項１３】
　願書に添付した明細書の発明の詳細な説明の欄における段落番号【００１２】の記載
　『【００１２】
　また、請求項６に記載の情報処理方法は、少なくとも文字とカーソルとを表示する画面にペンを用いてペンダウン、ペンアップおよびドラッグの情報を表わすペン入力信号を入力し、入力されたペン入力信号に基づいて上記ペンのドラッグの移動量を判定すると共に、上記ペンのペンダウンから次のペンアップまでの時間を判定し、入力されるペン入力信号と上記ペン移動量判定結果と上記ペン入力時間判定結果とに基づいて、ペン操作のモードを判定することを特徴とする情報処理方法である。』
とあるを、
　『【００１２】
　また、請求項４に記載の情報処理方法は、少なくとも文字とカーソルとを表示する画面にペンを用いて、画面上の座標、ペンダウン、ペンアップおよびドラッグの情報を表わすペン入力信号を入力し、入力されたペン入力信号に基づいて上記ペンのドラッグの移動量が所定量以下であるか否かを判定すると共に、上記ペンのペンダウンから次のペンアップまでの時間を判定し、入力されるペン入力信号に基づいて、上記ペンのドラッグの移動量が所定量より小さいと判定した条件の下で」上記ペンのペンダウンから次のペンアップまでの時間が所定時間より短いかまたは長いかを判定した結果によって、上記画面上の座標情報を伴う２つのペン操作のモードのいずれであるかを判定することを特徴とする清報処理方法である。』
と訂正します。
　【訂正事項１４】
　願書に添付した明細書の発明の詳細な説明の欄における段落番号【００１３】の記載
　『【００１３】
　また、請求項７に記載の情報処理方法は、上記ペン移動量判定結果が所定量より小さくかつ、上記ペン入力時間判定結果が所定時間より短い場合は、ペン操作のモードをカーソル移動と判定することを特徴とする請求項６に記載の情報処理方法である。』
とあるを、
　『【００１３】
　また、請求項５に記載の情報処理方法は、上記ペンのドラッグの移動量が所定量より小さいと判定した条件の下で、上記ペンのペンダウンから次のペンアップまでの時間が所定時間より短いと判定したとき、ペン操作のモードをカーソル移動と判定することを特徴とする請求項４に記載の情報処理方法である。』
と訂正します。
　【訂正事項１５】
　願書に添付した明細書の発明の詳細な説明の欄における段落番号」【００１４】の記載
　『【００１４】
　また、請求項８に記載の情報処理方法は、上記ペン移動量判定結果が所定量より小さくかつ、上記ペン入力時間判定結果が所定時間より長い場合は、ペン操作のモードを範囲指定モードと判定することを特徴とする請求項６に記載の情報処理方法である。』
とあるを、
　『【００１４】
　また、請求項６に記載の情報処理方法は、上記ペンのドラッグの移動量が所定量より小さいと判定した条件の下で、上記ペンのペンダウンから次のペンアップまでの時間が所定時間より長いと判定したとき、ペン操作のモードを範囲指定モードと判定することを特徴とする請求項４に記載の情報処理方法である。』
と訂正します。
　【訂正事項１６】
　願書に添付した明細書の発明の詳細な説明の欄における段落番号【００１５】および【００１６】の記載を削除します。
　【訂正事項１７】
　願書に添付した明細書の発明の詳細な説明の欄における段落番号【００６６】の記載
　『【００６６】
　【発明の効果】
　以上より明らかなように、請求項１乃至１０のいずれか１つに記載の発明によれば、自動的にペン操作のモードを例えばカーソル移動、範囲指定、手書き編集および手書き文字入力のうちのどのモードであるかを判定することができ、モードの選定操作を行う必要がないので、操作性が向上して、編集および入力時間を短縮することができる。』
とあるを、
　『【００６６】
　【発明の効果】
　以上より明らかなように、請求項１乃至６のいずれか１つに記載の発明によれば、自動的にペン操作のモードを例えばカーソル移動、範囲指定、手書き編集および手書き文字入力のうちのどのモードであるかを判定することができ、モードの選定操作を行う必要がないので、操作性が向上して、編集および入力時間を短縮することができる。』
と訂正します。
（５４）【発明の名称】
文書情報処理装置
（５７）【特許請求の範囲】
　【請求項１】　少なくとも文字とカーソルとを表示する表示手段と、上記表示手段の画面にペンを用いて入力して、
画面上の座標、
　上記ペン入力手段からのペン入力信号に基づいて、上記ペンのドラッグの移動量
が所定量以下であるか否か
　上記ペン入力手段からのペン入力信号に基づいて、上記ペンのペンダウンから次のペンアップまでの時間を判定するペン入力時間判定手段と、
　上記ペン入力手段からのペン入力信号
に基づいて、
が上記ペンのドラッグの移動量が所定量より小さいと判定した条件の下で、
が上記ペンのペンダウンから次のペンアップまでの時間が所定時間よりも短いかまたは長いかを判定した結果によって、上記表示手段の画面上の座標情報を伴う２つの
のいずれであるか
　【請求項２】　請求項１に記載の文書情報処理装置であって、上記モード判定手段は、上記ペン移動量判定手段
が上記ペンのドラッグの移動量が所定量より小さいと判定した条件の下で
が上記ペンのペンダウンから次のペンアップまでの時間が
と判定したとき、
　【請求項３】　請求項１に記載の文書情報処理装置であって、上記モード判定手段は、上記ペン移動量判定手段
が上記ペンのドラッグの移動量が所定量より小さいと判定した条件の下で
が上記ペンのペンダウンから次のペンアップまでの時間が
と判定したとき、
。
　【請求項
４
、画面上の座標、
　入力されたペン入力信号に基づいて上記ペンのドラッグの移動量
が所定量以下であるか否か
　入力されるペン入力信号
に基づいて、
のドラッグの移動量が所定量より小さいと判定した条件の下で、
のペンダウンから次のペンアップまでの時間が所定時間より短いかまたは長いかを判定した結果によって、上記画面上の座標情報を伴う２つの
のいずれであるか
　【請求項
５
のドラッグの移動量が所定量より小さいと判定した条件の下で
のペンダウンから次のペンアップまでの時間
と判定したとき
４
　【請求項
６
のドラッグの移動量が所定量より小さいと判定した条件の下で
のペンダウンから次のペンアップまでの時間
と判定したとき
４
。
【発明の詳細な説明】
　【０００１】
　【産業上の利用分野】
　この発明は、日本語ワードプロセッサー、欧文ワードプロセッサー、ＤＴＰ（ディスク・トップ・パブリッシング）、パーソナルコンピュータ等のペン入力可能な文書情報処理装置に関する。
　【０００２】
　【従来の技術】
　従来、文書情報処理装置としては、ペンを入力に使用する日本語ワードプロセッサがある。この文書情報処理装置は、オンラインにて図形を入力する他に、テキスト入力画面での手書き文字の入力とジェスチャー（手書き記号の入力により削除，改行等を行う手書き編集）の入力をすることできる。すなわち、図１９に示すように、手書き文字の入力を行いたい場合には、手書き文字入力ボタンを押し、ジェスチャーを行いたい場合には、ジェスチャーボタンを押して、ジェスチャーの形（削除，改行等を表わす手書き編集記号）をペンで入力し、カーソル移動を行いたい場合には、カーソル移動ボタンを押して、入力画面の移動させたい位置にペンダウンするのである。したがって、入力と編集を容易に行うことができる。
　【０００３】
　また、もう一つの文書情報処理装置としては、パターン入力による手書き文字入力のモードとカーソル移動のモードとを選定するために、タブレット上にモード切替スイッチを設けると共に、手書き文字入力のモードかカーソル移動のモードかを表わすモードボタンをテキスト表示画面に表示して、モードの切り替えをユーザーに認識させて、手書き文字入力とカーソル移動のモードの選定ができるようにしたものがある（特開昭５７−１１３１３５号公報および特開昭６１−４０６３３号公報参照）。
　【０００４】
　【発明が解決しようとする課題】
　このように、前者の文書情報処理装置では、テキスト入力画面において、ペンを使用して、編集操作と手書き文字入力の操作を行うとき、すなわちペン操作のモードであるカーソル移動／ジェスチャー／手書き文字入力のモードの選定を行うとき、カーソル移動ボタン／ジェスチャーボタン／手書き文字入力ボタンを夫々設けて、それらのボタンのいずれか一つが押された時点でそのボタンに対応するペン操作のモードのみを有効する。また、後者の文書情報処理装置では、ユーザーは表示画面に表示されたモードボタンを認識しながら、次のペン操作でモードを切り替えるかどうかを判断して、表示されたモードボタンと異なるペン操作をする場合にタブレット上のモード切替スイッチを操作する。
　【０００５】
　ところが、両方の文書情報処理装置とも、ペンを使用して操作を行う場合、ユーザーが所望の操作を行うためには、いつもペン操作のモードを意識しながら、頻繁にモードを切り替える必要があり、操作性が悪いという欠点がある。
　【０００６】
　そこで、この発明の目的は、ペン操作のモードの切り替えをユーザーが意識することなく、操作性を向上でき、編集および入力時間を短縮できる文書情報処理装置を提供することにある。
　【０００７】
　【課題を解決するための手段】
　上記目的を達成するため、請求項１に記載の文書情報処理装置は、少なくとも文字とカーソルとを表示する表示手段と、上記表示手段の画面にペンを用いて入力して、
画面上の座標、
が所定量以下であるか否か
に基づいて、
が上記ペンのドラッグの移動量が所定量より小さいと判定した条件の下で、
が上記ペンのペンダウンから次のペンアップまでの時間が所定時間よりも短いかまたは長いかを判定した結果によって、上記表示手段の画面上の座標情報を伴う２つの
のいずれであるか
理装
　【０００８】
　また、請求項２に記載の文書情報処理装置は、請求項１に記載の文書情報処理装置であって、上記モード判定手段は、上記ペン移動量判定手段
が上記ペンのドラッグの移動量が所定量より小さいと判定した条件の下で
が上記ペンのペンダウンから次のペンアップまでの時間が
と判定したとき、
　【０００９】
　また、請求項３に記載の文書情報処理装置は、請求項１に記載の文書情報処理装置であって、上記モード判定手段は、上記ペン移動量判定手段
が上記ペンのドラッグの移動量が所定量より小さいと判定した条件の下で
が上記ペンのペンダウンから次のペンアップまでの時間が
と判定したとき、
　【００１２】
　また、請求項
４
、画面上の座標、
が所定量以下であるか否か
に基づいて、
のドラッグの移動量が所定量より小さいと判定した条件の下で、
のペンダウンから次のペンアップまでの時間が所定時間より短いかまたは長いかを判定した結果によって、上記画面上の座標情を伴う２つの
のいずれであるか
　【００１３】
　また、請求項
５
のドラッグの移動量が所定量より小さいと判定した条件の下で
のペンダウンから次のペンアップまでの時間
と判定したとき
４
　【００１４】
　また、請求項
６
のドラッグの移動量が所定量より小さいと判定した条件の下で
のペンダウンから次のペンアップまでの時間
と判定したとき
４
　【００１７】
　【実施例】
　以下、この発明の文書情報処理装置を実施例により詳細に説明する。
　【００１８】
　（第１実施例）
　図１はこの発明の第１実施例の文書情報処理装置のブロック図を示しており、１は装置全体の制御を行うＣＰＵ（中央処理装置）、２は上記ＣＰＵ１と接続されたアドレスおよびデータ用のバス、３は上記ＣＰＵ１とバス２を介して接続され、表示／印字可能な文字，記号等のビットマップおよびアウトラインフォントデータが格納されたＣＧＲＯＭ（キャラクタ・ジェネレータ・リード・オンリー・メモリー）、４は上記ＣＰＵ１とバス２を介して接続され、後述する表示装置６の画面上の座標に１対１で対応するアドレス構成を有し、表示装置６に表示する画面をビットマップで格納するＶＲＡＭ（ビデオ・ランダム・アクセス・メモリー）、５は上記ＣＰＵ１とバス２を介して接続され、上記ＶＲＡＭ４に格納されている１画面分の表示データを表わす表示信号をリアルタイムに出力する表示コントローラ、６は上記表示コントローラ５からの表示信号を受けて、ＶＲＡＭ４に格納されている１画面分の表示データをＬＣＤ（液晶ディスプレイ）やＣＲＴ（カソード・レイ・チューブ）により表示する表示装置である。また、７は上記ＣＰＵ１とバス２を介して接続されたＦＤ（フロッピーディスク）コントローラ、８は上記ＦＤコントローラ７により制御され、文書データ等をフロッピーディスク（図示せず）に記録し再生するフロッピーディスクドライブ、９は上記ＣＰＵ１とバス２を介して接続され、後述するＲＡＭ（ランダム・アクセス・メモリー）１２に格納されているイメージデータを表わす印字信号を出力するプリンタコントローラ、１０は上記プリンタコントローラ９からの印字信号を受けて、イメージデータを印字するプリンタ、１１は上記ＣＰＵ１とバス２を介して接続され、ＣＰＵ１の制御用プログラムが格納されたＲＯＭ（リード・オンリー・メモリー）、１２は上記ＣＰＵ１とバス２を介して接続され、データ（座標データ等を含む）座標格納バッファ１３と制御や編集を行うときにＣＰＵ１が使用するデータ等を保持する変数バッファ１４とを有するＲＡＭである。また、１５は上記ＣＰＵ１とバス２を介して接続され、キーボード１６に入力されたキーを表わす信号をＣＰＵ１に出力するキーボードコントローラ、１７は上記ＣＰＵ１とバス２を介して接続され、ペン入力装置（以下、ペンという）１８に入力されたペン先の状態（ペンで画面を触っているか否か）とペン先を画面で触ったときの画面上の座標とを表わす信号をＣＰＵ１に出力するペンコントローラ、１９は上記ＣＰＵ１とバス２を介して接続され、ブザー２０のオンオフを制御するブザーコントローラである。
　【００１９】
　図２は上記文書情報処理装置の要部構成図を示しており、この文書情報処理装置は、ペンコントローラ１７とペン１８で構成されたペン入力手段３１と、表示コントローラ５と表示装置６で構成された表示手段３２と、ＲＯＭ１１に格納されたプログラムによって構成されたモード判定手段３３，ペン移動量判定手段３４，ペン入力時間判定手段３５，モード決定出力手段３６，文字領域入力判定手段３７，カーソル表示切替手段３８，ペン入力軌跡判定手段３９および認識ボタン表示手段４０とを備えている。なお、上記ペン移動量判定手段３４，ペン入力時間判定手段３５，文字領域入力判定手段３７，カーソル表示切替手段３８およびペン入力軌跡判定手段３９は、モード判定手段３３を介してペン入力手段３１からのペン入力信号の情報を受けとるものとする。
　【００２０】
　上記構成の文書情報処理装置において、表１に示すように、カーソル移動／範囲指定／ジェスチャー／手書き文字入力のモードの選定を行う。
　【表１】
　すなわち、上記ペン入力手段３１からのペンアップ，ペンダウンおよびドラッグの情報を表わすペン入力信号に基づいて、ペン移動量判定手段３４は、ペン１８のドラッグの移動量が所定量以下か否かを判定すると共に、ペン入力信号に基づいて、ペン入力時間判定手段３５は、ペン１８の最初のペンアップから次のペンダウンまでの時間が所定時間以上か否かを判定する。
　【００２１】
　そして、上記モード判定手段３３は、ペン１８の最初のペンダウンの後、ペン移動量判定手段３４がペン１８のドラッグの移動量が所定量以下（ペン移動量が小さい）と判定し、かつペン入力時間判定手段３５が最初のペンダウンから次のペンアップまでの時間が一定秒未満であると判定すると共に、そのペンアップから次の２ストローク目のペンダウンまでの時間が一定秒以上であると判定すると、カーソル移動のモードと判定する。すなわち、最初のペンダウン後、ほぼ同じ位置ですばやくペンアップすると、カーソル移動のモードとするのである。
　【００２２】
　また、上記モード判定手段３３は、最初のペンダウンの後、ペン移動量判定手段３４がペン１８のドラッグの移動量が所定量以下（ペン移動量が小さい）と判定し、かつペン入力時間判定手段３５が最初のペンダウンから次のペンアップまでの時間が一定秒以上であると判定すると、範囲指定のモードと判定する。すなわち、最初のペンダウン後、ほぼ同じ位置でしばらくペンダウンすると、範囲指定のモードとするのである。
　【００２３】
　また、上記モード判定手段３３は、最初のペンダウンの後、ペン移動量判定手段３４がペン１８のドラッグの移動量が所定量を越える（ペン移動量が大きい）と判定し、かつペン入力時間判定手段３５が最初のペンダウン後のペンアップから次の２ストローク目のペンダウンまでの時間が一定秒以上であると判定すると、ジェスチャーのモードと判定する。ただし、上記手書き文字入力判定手段３７が表示手段３２に表示された文字の領域からペン入力が始まっていないと判定するか、またはペン入力軌跡判定手段３９がペン入力の軌跡の大きさが所定値より大きいと判定すると、手書き文字入力のモードと判定をし直す。
　【００２４】
　また、上記モード判定手段３３は、最初のペンダウンの後、ペン１８のドラッグの移動量が所定量を越える（ペン移動量が大きい）と判定し、かつペン入力時間判定手段３５が最初のペンダウン後のペンアップから次の２ストローク目のペンダウンまでの時間が一定秒以上であると判定すると、手書き文字入力のモードと判定する。このとき、上記認識ボタン表示手段４０は、表示手段３１に認識ボタンを表示する。
　【００２５】
　このようにして、上記モード判定手段３３は、カーソル移動／範囲指定／ジェスチャー／手書き文字入力のモードの選定を行うと共に、カーソル表示切替手段３８は、モード判定手段により判定されたモードに応じて、表示手段３１に表示されたカーソルをカーソル移動／範囲指定／ジェスチャー／手書き文字入力に対応する形に夫々切り替える。そして、上記モード決定出力手段３６は、モード判定手段３３により判定されたモードを表わす信号を出力し、その信号に基づいて入力および編集処理を行う。
　【００２６】
　以下、ペン操作のモードの選定の処理を図３，４，５のフローチャートに従って説明する。
　【００２７】
　まず、ステップＳ１において、ペン１８のイベントを待っている状態からイベントが発生すると、ステップＳ２に進み、ペンイベントがペンダウン／ドラッグ／ペンアップのうちのいずれであるかを判別する。
　【００２８】
　そして、ステップＳ２でペンイベントがペンダウンであると判別すると、ステップＳ３に進み、ペンダウンの座標をワークすなわちＲＡＭ１２の座標格納バッファ１３にセットする。次に、ステップＳ４に進んで、タイマーをスタートする。次に、ステップＳ５で認識ボタンが押下されているか否かを判別して、認識ボタンが押下されていると判別すると、ステップＳ１に戻る。一方、ステップＳ４で認識ボタンが押下されていないと判別すると、図５に示すステップＳ４２に進む。
　【００２９】
　また、ステップＳ２でペンイベントがドラッグであると判別すると、ステップＳ６に進み、ドラッグの座標をワークすなわちＲＡＭ１２の座標格納バッファ１３にセットする。次に、ステップＳ７でそのドラッグが１ストローク目か否かを判別して、１ストローク目であると判別すると、ステップＳ８に進む一方、１ストローク目でないと判別すると、ステップＳ１４に進む。そして、ステップＳ８でペンダウンからの移動量が少ないか否か、すなわちペンダウンからの移動量が所定値以下か否かを判別して、そのペンダウンからの移動量が所定値以下であると判別すると、ステップＳ９に進む一方、ペンダウンからの移動量が所定値より大きいと判別すると、ステップＳ１４に進む。次に、ステップＳ９でステップＳ４でスタートしたタイマーがタイムアップしているか否かを判別して、タイマーがタイムアップしていると判別すると、ステップＳ１０に進む一方、タイマーがタイムアップしていないと判別すると、ステップＳ１に戻る。
　【００３０】
　次に、ステップＳ１０で範囲指定のモードとし、ステップＳ１１でカーソル表示変更を行う。すなわち、指定された範囲にカーソルの形を変更して、カーソルによってその範囲を識別できるようにするのである。次に、ステップＳ１２で範囲指定コードを出力して、ステップＳ１３で編集処理を行い、範囲指定のモードの処理を終了する。
　【００３１】
　一方、ステップＳ２でペンイベントがペンアップであると判別すると、図４に示すステップＳ２１に進み、タイマーをスタートする。次に、ステップＳ２２でそのペンアップが１ストローク目か否かを判別して、１ストローク目であると判別すると、ステップＳ２３に進む一方、１ストローク目でないと判別すると、ステップＳ３１に進む。そして、ステップＳ２３でドラッグの移動量が少ないか否か、すなわちドラッグの移動量が所定値以下か否かを判別して、ドラッグの移動量が所定値以下であると判別すると、ステップＳ２４に進む一方、ドラッグの移動量が所定値より大きいと判別すると、図５に示すステップＳ４１に進む。
　【００３２】
　次に、ステップＳ２４でペンイベント待ちを行い、次のペンダウンまでにステップＳ２１でスタートしたタイマーがタイムアップするか否かを判別する。そして、ステップＳ２４でタイマーがタイムアップしていると判別すると、ステップＳ２５に進み、カーソル移動のモードとし、ステップＳ２６で編集処理を行って、カーソル移動のモードの処理を終了する。一方、ステップＳ２４で次のペンダウンまでにタイマーがタイムアップしていないと判別すると、ステップＳ２７に進み、ドラッグの軌跡を表示し、ステップＳ２８で２ストローク目のフラグをセットして、ステップＳ１に戻る。なお、２ストローク目のフラグは、このペン操作のモードの選定処理のスタート時にリセットする。
　【００３３】
　また、ステップＳ２２で１ストローク目でないと判別されて、ステップＳ３１に進むと、ペンイベント待ちを行い、次のペンダウンまでにステップＳ２１でスタートしたタイマーがタイムアップするか否かを判別する。そして、ステップＳ３１でタイマーがタイムアップしたと判別すると、ステップＳ３２に進む一方、タイマーがタイムアップしていないと判別すると、ステップＳ１に戻る。
　【００３４】
　次に、ステップＳ３２で文字認識用の座標格納バッファ１３に座標データをセットし、ステップＳ３３に進んで、座標格納バッファ１３に格納された座標データに基づいて文字認識を行う。そして、ステップＳ３４に進み、ステップＳ３３で認識された文字の認識コードを出力して、編集処理を行い、手書き文字入力のモードの処理を終了する。
　【００３５】
　次に、図５に示すステップＳ４１でペンイベント待ちを行い、次のペンダウンまでにステップＳ２１でスタートしたタイマーがタイムアップするか否かを判別する。そして、ステップＳ４１でタイマーがタイムアップしたと判別すると、ステップＳ４２に進む一方、タイムアップしていないと判別すると、ステップＳ１に戻る。次に、ステップＳ４２でペン入力の軌跡の大きさが所定値（例えば縦方向に３行分）以内か否かを判別して、ペン入力の軌跡の大きさが所定値以内であると判別すると、ステップＳ４３をスキップして、ステップＳ４４に進む。一方、ステップＳ４２でペン入力の軌跡の大きさが所定値より大きいと判別すると、ステップＳ４３に進んで、表示手段３２の表示装置６に表示された入力文字上すなわち文字の領域にペンダウンされたか否かを判別する。そして、ステップＳ４３で入力文字上にペンダウンされたと判別すると、ステップＳ４４に進む一方、入力文字上に入力されていないと判別すると、図４に示すステップＳ３２に進む。
　【００３６】
　次に、ステップＳ４４でジェスチャー用の座標格納バッファ１３に座標データをセットし、ステップＳ４５でジェスチャー認識を行って、ステップＳ４６に進み、ジェスチャー認識が成功したか否かを判別する。そして、ステップＳ４６でジェスチャー認識が成功したと判別すると、ステップＳ４７に進み、ジェスチャーコードを出力して、ステップＳ４８で編集処理を行って、ジェスチャーのモードの処理を終了する。一方、ステップＳ４６でジェスチャー認識が成功していないと判別すると、図４に示すステップＳ３２に進み、手書き文字入力の動作モードとなる。
　【００３７】
　このように、上記文書情報処理装置は、カーソル移動／範囲指定／ジェスチャー／手書き文字入力のモードの選定を行う。以下、図６，７，８，９に示す概念図に従ってペン操作のモードの選定について説明する。
　【００３８】
　まず、図６において、上記ペン１８にてカーソル移動を行う場合、カーソル移動したい点（図６の文字“け”の位置）にペンダウンし、同じ位置ですばやくペンアップを行う。すなわち、ペンダウンしてからの移動量は少なく、かつペンアップするまでの時間が一定時間未満で、ペンアップしてから次のペンダウンまでが一定時間以上空いているとき、カーソル移動のモードとして認識する。
　【００３９】
　次に、図７において、範囲指定を行う場合、範囲指定の開始位置（図７の文字“か”の位置）にペンダウンした後、しばらく同じ位置で静止すると範囲指定のモードとなる。すなわち、ペンダウン後の移動量は少なくペンダウン状態が一定時間以上続いている場合に、範囲指定のモードとして認識する。その後、ペンをドラッグして範囲（図７の文字“かきくけ”）を決定する。
　【００４０】
　次に、図８において、手書き文字入力の場合、１ストローク目がある程度ドラッグされ、２ストローク目がすばやく入力されたなら、手書き文字入力のモードにする。すなわち、まず最初のペンダウン（１回目）の後、所定時間以内で、所定値以上のドラッグの移動量が発生し、かつペンアップ発生後、次の２ストローク目のペンダウン（２回目）までの時間が一定時間未満の場合に、手書き文字入力として認識する。このとき、手書き文字入力のモードとわかった時点で文字認識用の認識ボタンを表示手段３２の表示装置６に表示する。
　【００４１】
　次に、図９において、ジェスチャーを行う場合、１ストロークのみで一定以上のドラッグを行う。すなわち、ペンダウン（１回目）後、所定値以上のドラッグの移動量が発生し、かつペンアップ発生後、次のペンダウン（２回目）までに一定時間以上経過した場合に、ジェスチャーのモードとし、それ以外では手書き文字入力のモードとして扱う。また、１ストロークでも所定値以上の大きさのものは、文字認識として取り扱う。そして、ジェスチャーのモードと判定し、ジェスチャーの認識を行った後に、そのジェスチャーの認識が失敗したときは、手書き文字入力のモードとして取り扱う。なお、文字上以外のどこでもきくようなジェスチャー（例えば改行等）は除外する。
　【００４２】
　このように、自動的に、カーソル移動／範囲指定／ジェスチャー／手書き文字入力のどのモードであるかを判別することができる。したがって、ユーザーがペン操作のモードを意識することなく、ペン操作のモードの選定操作を行う必要がないので、操作性が向上して、編集および入力時間を短縮することができる。
　【００４３】
　また、上記表示手段３１に表示された文字の領域に書かれていない一画のペンの軌跡は、手書き文字入力のモードに判定をし直すので、一画の文字入力も可能となる。
　【００４４】
　また、上記表示手段３１に表示され、カーソル移動／範囲指定／ジェスチャー／手書き文字入力に対応するカーソルの形によって、現在のペン操作のモードをユーザーが判断でき、より円滑な操作が可能となって、操作性がさらに向上する。
　【００４５】
　また、上記ペン入力軌跡判定手段３９によりペン入力の軌跡の大きさを判定することによって、ジェスチャー／手書き文字入力のモードの選定を正確に行うことができる。
　【００４６】
　また、上記手書き文字入力のモードにおいて、認識ボタンを表示手段３１に表示し、手書き文字入力が終了した後、すぐにペン１８により認識ボタンを押すことによって、手書き文字入力までの待ち時間を無くすことができるので、より円滑な手書き文字入力ができる。
　【００４７】
　また、上記モード判定手段３３は、ジェスチャーのモードと判定した後、ジェスチャーの認識を失敗すると、ジェスチャーのモードから手書き文字入力のモードに判定を変更することによって、手書き文字入力のつもりで誤ってジェスチャーのモードとなっても、すぐにジェスチャーのモードから手書き文字入力のモードに切り替えるので、操作の手間を省くことができる。
　【００４８】
　（第２実施例）
　図１０はこの発明の第２実施例の文書情報処理装置の要部構成図を示している。この文書情報処理装置は、ＲＯＭ１１に格納されているプログラムを除いて、図１に示すブロック図と同一の構成をしており、図と説明を省略する。
　【００４９】
　上記文書情報処理装置は、ペンコントローラ１７とペン１８で構成されたペン入力手段４１と、表示コントローラ５と表示装置６で構成された表示手段４２と、ＲＯＭ１１に格納されたプログラムによって構成されたモード判定手段４３，ペン移動量判定手段４４，時間管理手段４５，モード決定出力手段４６およびカーソル表示切替手段４７とを備えている。なお、上記ペン移動量判定手段４４，時間管理手段４５およびカーソル表示切替手段４７は、モード判定手段３３を介してペン入力手段３１からのペン入力信号の情報を受けとるものとする。
　【００５０】
　上記構成の文書情報処理装置において、時間管理手段４５は、ペン入力手段４１からのペンダウンを表わす信号の情報をモード判定手段４３を介して受けて、ペンダウンしてからの時間を管理するために時間管理信号を出力する。そして、上記カーソル表示切替手段４７は、図１１に示すように、時間管理手段４５からの時間管理信号に基づいて、所定時間毎に、表示手段４２に表示されているカーソルの形をカーソル移動／範囲指定／ジェスチャー／手書き文字入力のモードに対応する形に１順次切り替える（図１１に示すカーソルは左から順にカーソル移動／範囲指定／ジェスチャー／手書き文字入力のモードを表わす）。そして、上記ペン入力手段４１からのペン入力信号に基づいて、ペン移動量判定手段４４は、ペン１８のドラッグの移動量を判定する。上記カーソル表示切替手段４７により切り替えられたカーソルが表わすペン操作のモードとペン入力手段４１からのペン入力信号とに基づいて、モード判定手段４３は、ペン操作のモードがカーソル移動／範囲指定／ジェスチャー／手書き文字入力のうちのいずれか一つのモードであると判定する。
　【００５１】
　以下、上記文書情報処理装置のモードの選定処理について、図１２，１３に示すフローチャートに従って説明する。
　【００５２】
　まず、ペン１８が表示手段４２の表示画面上にペンダウンされると、ステップＳ５１でタイマーをスタートする。次に、ステップＳ５２でペンダウンした画面のポイントにカーソル移動のモードを表わすカーソルを表示する。次に、ステップＳ５３に進み、ステップＳ５１でスタートしたカウンタがタイムアップしたか否かを判別して、カウンタがタイムアップしたと判別すると、ステップＳ５６に進む一方、ステップＳ５３でカウンタがタイムアップしていないと判別すると、ステップＳ５４に進む。次に、ステップＳ５４でペンアップのイベントが発生すなわちペンアップしているか否かを判別して、ペンアップしていると判別すると、ステップＳ５５に進み、カーソル移動の処理を行う。一方、ステップＳ５４でペンアップのイベントが発生していないと判別すると、ステップＳ５３に戻る。
　【００５３】
　次に、ステップＳ５６でタイマーをスタートして、ステップＳ５７に進み、範囲指定のモードを表わすカーソルを表示する。次に、ステップＳ５８に進み、ステップＳ５６でスタートしたタイマーがタイムアップしたか否かを判別する。そして、ステップＳ５８でタイマーがタイムアップしたと判別すると、図１３に示すステップＳ６１に進む一方、タイマーがタイムアップしていないと判別すると、ステップＳ５９に進む。次に、ステップＳ５９で一定以上のドラッグが発生しているか否かを判別する。すなわち、ペン１８のドラッグの移動量が所定量以上か否かを判別するのである。そして、ステップＳ５９で一定以上のドラッグが発生していると判別すると、ステップＳ６０に進む一方、一定以上のドラッグが発生していないと判別すると、ステップＳ５８に戻る。そして、ステップＳ６０で範囲指定の処理を行って、このモードの選定処理を終了する。
　【００５４】
　次に、ステップＳ６１でタイマーをスタートして、ステップＳ６２に進み、ジェスチャーのモードを表わすカーソルを表示する。次に、ステップＳ６３に進み、ステップＳ６１でスタートしたタイマーがタイムアップしたか否かを判別する。そして、ステップＳ６１でタイマーがタイムアップしたと判別すると、ステップＳ６６に進む一方、タイマーがタイムアップしていないと判別すると、ステップＳ６４に進む。次に、ステップＳ６４で一定以上のドラッグが発生したか否かを判別する。すなわち、ペン１８のドラッグの移動量が所定量以上か否かを判別するのである。そして、ステップＳ６４で一定以上のドラッグが発生したと判別すると、ステップＳ６５に進む一方、一定以上のドラッグが発生していないと判別すると、ステップＳ６３に戻る。次に、ステップＳ６５でジェスチャーを認識する処理を行い、このモードの選定処理を終了する。
　【００５５】
　また、ステップＳ６６でタイマーをスタートして、ステップＳ６７に進み、手書き文字入力のモードを表わすカーソルを表示する。次に、ステップＳ６８に進み、ステップＳ６６でスタートしたタイマーがタイムアップしたか否かを判別して、タイマーがタイムアップしたと判別すると、ステップＳ５１に戻る。一方、ステップＳ６８でタイマーがタイムアップしていないと判別すると、ステップＳ６９に進み、ドラッグが発生したか否かを判別する。そして、ステップＳ６９でタイマーがタイムアップしたと判別すると、ステップＳ７０に進む一方、タイマーがタイムアップしていないと判別すると、ステップＳ６８に戻る。そして、ステップＳ７０で文字認識処理すなわち、手書き文字入力の処理を行って、このモードの選定処理を終了する。
　【００５６】
　こうして、最初のペンダウン後、所定時間毎に表示手段３１に表示されたカーソルの表示状態を切り替えて、カーソル移動／範囲指定／ジェスチャー／手書き文字入力の表示しているとき、ペン入力に応じて夫々のモードを切り替える。すなわち、最初のペンダウンで、カーソル表示はカーソル移動の表示となり、このときにペンアップすると、カーソル移動の処理を行う。また、最初のペンダウン後、ペンダウン状態が続いた、カーソル表示がカーソル移動から範囲指定の表示となり、このときにドラッグをすると、範囲指定の処理を行う。さらに、最初のペンダウン後、ペンダウン状態が続いて、カーソル表示がカーソル移動／範囲指定からジェスチャーの表示となり、このときに一定以上のドラッグをすると、ジェスチャーの処理を行う。またさらに、最初のペンダウン後、ペンダウン状態が続いて、カーソル表示がカーソル移動／範囲指定／ジェスチャーから手書き文字入力の表示となり、このときにドラッグが発生すると、手書き文字入力の処理を行う。そして、どのモードの処理もしないで、ペンダウン状態が続くと、カーソル移動／範囲指定／ジェスチャー／手書き文字入力のモードに対応する形のカーソルを繰り返し表示する。
　【００５７】
　このように、自動的に、カーソル移動／範囲指定／ジェスチャー／手書き文字入力の各モードを選定することができる。したがって、ユーザーがペン操作のモードを意識することなく、ペン操作のモードの選定操作を行う必要がないので、操作性が向上して、編集および入力時間を短縮することができる。
　【００５８】
　上記第１実施例では、文字領域入力判定手段３７，カーソル表示切替手段３８，ペン入力軌跡判定手段３９および認識ボタン表示手段４０を用いたが、文字領域入力判定手段，カーソル表示切替手段，ペン入力軌跡判定手段および認識ボタン表示手段は無くともよい。すなわち、図１４に示すように、ペン入力手段３１，モード判定手段３３，表示手段３２，ペン移動量判定手段３４，ペン入力時間判定手段３５この発明の文書情報処理装置を構成してもよい。そして、上記モード判定手段３３で判定したモードをモード決定出力手段３６により任意の場所に出力する。
　【００５９】
　また、上記第１実施例では、文字領域入力判定手段３７，カーソル表示切替手段３８，ペン入力軌跡判定手段３９および認識ボタン表示手段４０を用いたが、文字領域入力判定手段，カーソル表示切替手段，ペン入力軌跡判定手段および認識ボタン表示手段のうちの少なくとも一つを備えたものでもよい。
　【００６０】
　例えば、図１５に示すように、図１４に示す文字情報処理装置の構成に表示手段３２に表示された文字の領域からペン入力が始まっているか否かを判定する文字領域入力判定手段５１を備えたものでもよい。この場合、表示手段に表示された文字の領域に書かれていない一画のペンの軌跡を手書き文字入力のモードとして入力して、一画の文字も入力可能となる。
　【００６１】
　また、図１６に示すように、図１４に示す文字情報処理装置の構成にモード判定手段３３の判定結果に基づいて、表示手段３２に表示されたカーソルの形を切り替えるカーソル表示切替手段５２を備えたものでもよい。この場合、ペン操作のモードに対応して表示手段に表示された上記カーソルの形を切り替えるので、カーソルの形によって現在のペン操作のモードが判断でき、より円滑な操作が可能となり、操作性が特に向上する。
　【００６２】
　また、図１７に示すように、図１４に示す文字情報処理装置の構成にペン入力手段３１からのペン入力信号に基づいて、ペン入力の軌跡の大きさが所定値以下か否かを判定するペン入力軌跡判定手段５３を備えたものでもよい。この場合、ペン入力の軌跡の大きさによって、ジェスチャーと手書き文字入力のモードの選定を正確に行うことができる。
　【００６３】
　また、図１８に示すように、図１４に示す文字情報処理装置の構成にモード判定手段３３が手書き文字入力のモードであると判定すると、手書き文字入力された文字を認識するための認識ボタンを表示手段３２に表示する認識ボタン表示手段５４を備えたものでもよい。この場合、手書き文字入力が終了した後、すぐに認識ボタンを押すことによって、手書き文字入力までの待ち時間を無くすことができる。
　【００６４】
　また、上記第１実施例では、上記モード判定手段３３は、ペン操作のモードがジェスチャーのモードであると判定した後、ジェスチャーの認識を失敗すると、ジェスチャーのモードから手書き文字入力のモードにしたが、モード判定手段は、ジェスチャーのモードと判定した後、ジェスチャーの認識を失敗しても、ジェスチャーのモードのままとしてもよい。
　【００６５】
　また、上記第２実施例では、カーソル表示切替手段４７により所定時間毎にカーソルの形を切り替えたが、切り替えの時間は、同一時間毎にカーソルの形を切り替えてもよいし、異なる時間毎にカーソルの形を切り替えてもよいのは勿論である。
　【００６６】
　【発明の効果】
　以上より明らかなように、請求項１乃至
６
【図面の簡単な説明】
　【図１】　図１はこの発明の第１実施例の文書情報処理装置のブロック図である。
　【図２】　図２は上記文書情報処理装置の要部構成図である。
　【図３】　図３は上記文書情報処理装置のペン操作のモードの選定動作を示すフローチャートである。
　【図４】　図４は上記文書情報処理装置のペン操作のモードの選定動作を示すフローチャートである。
　【図５】　図５は上記文書情報処理装置のペン操作のモードの選定動作を示すフローチャートである。
　【図６】　図６はカーソル移動の概念図である。
　【図７】　図７は範囲指定の概念図である。
　【図８】　図８は手書き文字入力の概念図である。
　【図９】　図９はジェスチャーの概念図である。
　【図１０】　図１０はこの発明の第２実施例の文書情報処理装置の要部構成図である。
　【図１１】　図１１は上記文書情報処理装置のカーソル表示切替を示す図である。
　【図１２】　図１２は上記文書情報処理装置のペン操作のモードの選定動作を示すフローチャートである。
　【図１３】　図１３は上記文書情報処理装置のペン操作のモードの選定動作を示すフローチャートである。
　【図１４】　図１４はこの発明の他の実施例の要部構成図である。
　【図１５】　図１５はこの発明の他の実施例の要部構成図である。
　【図１６】　図１６はこの発明の他の実施例の要部構成図である。
　【図１７】　図１７はこの発明の他の実施例の要部構成図である。
　【図１８】　図１８はこの発明の他の実施例の要部構成図である。
　【図１９】　図１９は従来の文書情報処理装置の要部構成図である。
　【符号の説明】
　１…ＣＰＵ、２…バス、３…ＣＧＲＯＭ、４…ＶＲＡＭ、
　５…表示コントローラ、６…表示装置、
　７…ＦＤコントローラ、８…フロッピーディスクドライブ、
　９…プリンタコントローラ、１０…プリンタ、
　１１…ＲＯＭ、１２…ＲＡＭ、
　１３…座標格納バッファ、１４…変数バッファ、
　１５…キーボードコントローラ、１６…キーボード、
　１７…ペンコントローラ、１８…ペン、
　１９…ブザーコントローラ、２０…ブザー。